(57)【要約】【目的】納棺された遺体を棺から棺に移動することなく、希望のデザインの棺に変更出来る棺を提供する。同時に、保管場所の制約を受けずに、取り扱える棺の種類を増やすことができるようにする棺の提供。【構成】棺本体の底面以外の前後左右の４側面のそれぞれの三辺に、差し込み用の溝の加工を施したＬ型のモールを取り付け、残りの一辺に開口口を持つモールを取り付けられた棺を組み立て準備します。それぞれの開口口に、各４側面を被えるサイズに加工したそれぞれの平板を差し込みます。次に、三辺に差し込み用の溝の加工を施したＬ型のモールを取り付けられた上蓋に、上蓋部分を被えるサイズに加工した平板を差し込みます。開口口に開口口のサイズに合わせてカットした上記と同仕様の溝付きＬ型のモールを２〜３本のネジ締め、あるいは釘を打つ、または接着剤、両面テープ等で取り付け開口口を閉じて棺を完成できるようにしました。棺のデザインについては、差し込み用の平板をモールに差し込む以前に、差し込み用の平板に施して準備しておきます。【選択図】　　　　図１
2004097734.tif 000002
【特許請求の範囲】
【請求項１】
（イ）棺の底面を除く各面にそれぞれの四辺の長さに合わせて切断した、差し込み用の溝を持つＬ型のモール三本と、差し込み用の平板を差し込むための開口口が出来る様に切り込み加工を施したモール一本を１セットとし各面に取り付けた棺
（ロ）棺の上蓋部分の開口口のサイズに合わせて加工した開口口
を塞ぐための上記仕様のモール
（ハ）各面に取り付けたモールの溝に合わせて差し込むことができ、差し込んだそれぞれの面を被えるサイズに加工され、表面に各種のデザインを施したり、布、彫刻物等の部品部材を貼付等による加工を施せ、また、棺からの着脱ができる差し込み用の平板
以上の如く構成された、納棺後もデザインの変更可能な棺
【請求項２】
（イ）棺の底面を除く各面のそれぞれの辺に合わせたサイズに加工した差し込み用の溝を持つＬ型のモールと開口口を持つモール
（ロ）棺のそれぞれの面を被う事ができ、さらに差し込み用の溝に差し込んで使用する、表面に加工を施せるようにした平板
（ハ）上記請求項２（イ）のモールに取り付けるカバー
以上の如く構成された、納棺後もデザインの変更可能な棺を製作する時に使用する部品
【発明の詳細な説明】
【０００１】
【産業上の利用分野】
本発明は、棺に差し込み用の溝を持つモールを取り付け、その溝に各種の装飾等の加工を施した平板を差し込めるようにし、その平板を差し替えることで棺の表面のデザインを自由に変更することが出来る様にした。この事により、遺体を納棺した後も、棺の表面のデザインを短時間の軽作業で音を立てることなく、変更出来ることを目的にした棺と、棺に取り付ける部品に関するものです。と同時に、同一の保管場所でも、より多くの種類の棺を保管出来るようにすることを目的にした棺と、棺に取り付ける部品に関するものです。
【０００２】
【従来の方法と問題点】
近年、遺体からの二次感染問題がクローズアップされています。遺体の搬送に関わる業者は勿論、その宗家となる家族に対しても不用意に遺体との接触をもたない様に注意が喚起され、遺体は棺に納めてから移動を行う傾向になりつつあります。また、遺体搬送を専門とする業者の出現で、納棺後に遺体の移動を行う事が加速されていることも確かなことです。残念ながらその事で、宗家が希望する棺に納棺されないばかりか葬儀に相応しくない棺に納棺される場合もあるようです。とくに、交通事故等の災害にあって死亡した遺体に関しては、遺体の保持の為に直ちに棺に納めたしまうケースがほとんどです。このような状況の時に使用される棺は、高額すぎる棺かあるいは一番廉価な棺になり、その後の宗家の要望を実現する事の障害となっています。
現在一般的な葬儀おいての棺の使用方法は、一度納棺したら最後の荼毘に付すまでその棺を使用する方法がとられています。棺の変更を希望した場命は、葬儀施行業者に新たな棺を発注し、新しい棺に遺体を移動させる方法があるのみです。最初の棺の処分費用も宗家の負担で行う事となり二重の経費がかかっています。次に葬祭施行業者において取り扱う棺の種類と保管に関しての現状についてみてみます。棺という葬儀に使用する物品の性格上時間的な制約を受け、事前に何本かの棺を組み立て、内張り等を取り付け処理した完成品として保管しなければなりません。棺を組み立てると、長さ１８０ＣＭ、高さ４５ＣＭ、奥行き５０ＣＭの大きな箱状の製品となり、保管には広い場所が必要になります。取り扱う種類を増やすということは、保管場所を広げる事によってしか実現できないのが現状です。以上のことから、葬祭施工業者はあらかじめ棺製造業者が製造販売している棺の中から、自分の所有する棺の保管場所に組み立てられた棺の保管可能本数を決定し、その数に合わせて２〜４種類程度のデザインや材質の異なる棺を事前に仕入れ組み立てておき、葬儀の時に商品として販売しているのが現状です。
【０００３】
【発明が解決しようとする課題】
本発明は、どうすれば遺体が納められた棺を、宗家や葬儀関係者の希望する棺に、短時間に場所を選ぶ事なく組み立て提供出来るようになるのかと考え、と同時に、葬儀施行業者が抱えている棺の保管場所と取扱う棺の種類に関する問題を解決することを課題として研究をすすめた。
【０００４】
【課題を解決するための手段】
棺の表面に別の表面材をつけ替えるという方法が最善と考え、取り付け作業を容易にする為に取り付け位置を固定するモールを使用することを取り入れた。
上記の考えを基本とする本発明の請求項１、請求項２を使用することで、一本の棺を様々なデザインの棺に軽作業で場所を選ぶ事なく変えられるようになり、さらに、棺の保管場所を広げることなく取り扱う種類を増やすことを可能とした。つぎに、請求項１、請求項２について説明します。
請求項１の、差し込み用の溝の加工を施されたモールを取り付けた棺、差し込み用の平板、開口口用のモールを使用する方法、及び各構成物について説明します。棺本体の底面以外の前後左右の側面の、それぞれの三辺に、差し込み用の溝の加工を施したＬ型のモールを取り付け、残りの一辺には開口口用の切り込加工が施されたモールを取り付けます。そこに、棺の前後左右の側面、それぞれの面を被うことができる面積で、なおかつ先ほど棺に取り付けたモールの溝に差し込めるサイズに加工した平板を差し込みます。上蓋においては、上蓋部分の三辺に差し込み用の溝の加工を施したＬ型のモールを取り付け、上蓋部分を被うことができる面積の平板を差し込み、次に開口口に開口口のサイズに合わせてカットした上記と同仕様のモールを２〜３本のネジで締めるあるいは釘を打つ、あるいは接着剤、両面テープ等で取り付け、開口口を閉じて上蓋部分を完成できるようにしました。棺のデザインについては、差し込み用の平板をモールに差し込む以前に、差し込み用の平板に施して準備しておきます
請求項１の構成物である棺を葬儀受注前に組み立てて、棺の内側の装飾を施す作業を済ませておき、死亡後速やかに納棺出来るようにしておきます。以後使用に供した棺のデザインの変更依頼があれば、差し込み用の平板を差し込み、希望の棺を提供できるようにしました。
請求項１の構成物である差し込み用の平板に、直接デザインを描いたり、加工物を貼付等の技術を用いて施せるようにしました。
請求項２の差し込み用の平板及びモールは、現在流通している棺に使用する目的で発明したものであり、これらの請求項２の構成物を従来の棺に、請求項１の様式で使用する事で、従来の棺も本発明と同じ効果をえることが出来るようにしました。
請求項２のモール用のカバーについては、取り付けられる差し込み用の平板のデザインと同一のデザイン及び材質でカバーを作りモールに被せるることによって、棺のデザインを統一する事ができるようにするために発明したものです。
請求項１、請求項２の差し込み用の平板は重量を支えたり外部からの圧力に対応する必要がないので、薄い板状のものを使用出来るようにしました。
【０００５】
【作用】
本発明は以上のような構成であるから、下記に示す有益性を実現出来る。
請求１の棺は、いつでも差し込み用の平板を取り替えができることと、棺としての外見、機能を備えていることで、死亡時直ちに納棺しても、自宅に帰った時点で遺体を棺から移動することなくそれぞれの葬儀に合ったデザインの棺に、平板をモールに差し込むだけ、ネジ締めや、接着テープ等を使用する等の方法で装着させるだけの軽作業で変更出来る。作業中、音がしないので場所を選ぶ事がなく、遺体に直接触れないですむようにして二次感染の防止に配慮出来る。
請求１の棺を使用すれば、事前に棺本体を組み立てて棺の内側の装飾を施しておくことができ、必要な時に希望の差し込み用の平板を差し込み固定するだけで完成品を作られる。
モールを取り付けたことにより、差し込み用の平板を取り付ける位置が固定され、棺の面と取り付ける平板のズレを気にする必要がなくなる。差し込み用の平板に歪みが生じてもモールを使用している事で修正が可能となる。
請求１の棺はそれ自体で棺として使用できる外見と機能備える様に作られているので、そのまま、棺として葬儀に使用することが出来る。
差し込み用の板は重量を支えたり外部からの圧力に対応する必要がなく、薄く平らな板状の材料で製作出来るので１セット分の総容積が小さく尚且軽量である故に運搬がし易い。また、平積みができ、同一の保管スペースに多くの数量の保管が可能となります。
差し込み用の板は薄く平らな板状の材料で製作出来るように考えてあるので、木材だけでなくダンボールのような紙製等、簡単に入手出来る材料を使用する事ができ、より材料費を低く抑えられる。また、木材では実現が困難なデザイン、アイデアも取り入れことができるようになる。
棺のデザインを差し込み用の平板に集中させたことにより、棺製造業者において新しいデザインの導入や古いデザインの廃棄等のコストが差し込み用の平板のみとなり低く抑えられる。また、現在保有しているデザインや部材を僅かな処理で本発明に使用出来るので新たな投資をすることがない。
棺のデザインを差し込み用の平板に集中させたことにより、誰でもが差し込み用の平板に絵を直接描いたり、好みのものを貼ってりして、新しいデザインの棺を作ることができる。
【０００６】
【実施例】
本発明を実施するために、棺本体の製造は従来からある製造法から任意のものを使用することとした。その理由は、本発明は棺のデザイン変更、棺の保管、特殊な棺の流通促進などの問題を解決することを主眼とした発明であり、棺本体の強度や組み立て方法に関するものではないからです。現在流通している棺は棺製造業者や葬儀施行業者の現場における体験の集約である。平均５０ｋｇを超える遺体を安全に移動出来、遺体保持の処理が有効に発揮出来、古くからの葬儀の慣習に応えられるなどの条件を満たすために、素晴らしい技術やアイデアが取り入れられていると理解しているからです。現在でも各地域で求められる棺の条件が異なっている事も、棺本体部分の製造法を従来からあるものから任意で使えるようにした一因でもあります。最初は全てを木材で製作してみた。結果は良好なものに仕上がりました。各部分に対して従来からある技術を利用出来るので新たな設備を必要としないですみます。
差し込み用の平板においては木材だけでなく、ダンボールのような紙製品等も使用でき材料費を抑えるができ、さらに軽量化が図れようにもなる。薄い板状にした木材に時々発生するねじれの対処方法には、本発明の差し込みという方法で対応出来るが、紙製品など他の材料を利用することも有効と考えられる。
差し込み口の方向はどちらでもよいが、棺の各側面においては上方に設置する方が取り付け作業の効率はよい結果を得られる。
差し込み用の平板を取り付ける面の数は必要に応じて変えても、棺としての使用に差し障りがおきることはない。
差し込み用の平板に立体的な加工物を施した場合は嵌め込み方法を用いる。なを、この方法は差し込み平板をいつでも自由に取り外せるという利点を兼ね備えている。差し込み平板を嵌め込み用にサイズを縮める加工を施す。左右ズレ防止用スットッパーを取り付ける。嵌め込み用平板を完全に固定する時は左右上下ズレ防止スットッパーを差し込み口に差し入れる。
上蓋部において、開口口を閉じるモールを事前に差し込み用の平板に固定する方法と、固定しない方法があるが、使用目的に応じて使い分ける。
モールに使用する材料にも、木材以外にも可燃性であり、ダイオキシン等の環境問題をクリアできるものであれば自由に使える。そのことで、型取りによるモール製造も可能となる。
モールについては、装飾としての塗装を施す、彫刻を施すなどしてより優れたものにする工夫も考えられるが、モール用のカバーを使用する利便性は大きいものがあり、高級棺や特殊な棺においてはセットとしての取り扱いも考えられる。棺の４側面全てに差し込み用の平板を使用するように設定した場合は棺の四隅用の溝付きモールを取り付けることで作業が楽になる。
棺の蓋部分については、窓付きであることが大半であり、窓は重要なデザインである。蓋用の差し込み用の平板にも棺の窓部分を隠さない加工を施すことを常とした対応が必要である。しかし、流通段階では、完成品としての蓋部分と、デザイン、加工が施された差し込み用の平板とのセットの形にするほうが、棺製造業者、葬儀施行業者双方に有効な形である。
差し込みという方法以外にも貼り付けるという方法が考えられる。そんな時もモールが貼り付け位置の目印となり誰が作業しても同じ結果がえられる。
着脱を希望する場合は葬儀の進行をとめることがないように、火葬場に到着した霊柩車内で取り外しの作業を行えるように、嵌め込み方式にしておくとよい。納棺時に蓋に釘を打つ慣習があっても着脱作業が可能となる。
【０００８】
【発明の波及効果】
本発明は以上の構成であるから、技術の有無に関係なく、誰もが短時間に正確に希望の棺を仕上げられるようになります。音を立てないように作業をする事も可能です。
差し込み用の平板は板材で構成されているので１セット分の総容積が小さく軽いので移動の作業が苦にならない。また、梱包して平積み保管出来、保管場所をおおく必要としない上に、長期保存しても日焼け等汚れることもありません。
本発明の使用は納棺後にも棺のデザインを変更出来ることで、死後直ちに納棺しても、遺体を移動することなく葬儀に合った棺に変更ができ、遺体に直接触れる機会を減らし、遺体からの二次感染の防止になると考えられる。
生花祭壇に向いた棺、私葬に合わせた棺等、葬儀施行業者に寄せられる棺に対しての要望が、遺体を納めるためだけの棺から葬儀を表現する棺へ変化してきています。本発明の差し込み用の平板には各種のデザインを自由に施すことが出来るようにしてあること、保管場所をおおくとらないようにしてあることが、棺製造業者、葬儀施行業者、宗家、葬儀関係者、それぞれが新たに考案したデザインの棺を開発して保管するというような事もできようになり、それぞれに利益をもたらせるものです。
本発明は、最近の傾向である遺体は棺に納めて移動するという形が、さらに進行し、遺体は常に棺に納めておくという事が一般化した時点でも、棺製造業者、葬儀施行業者、宗家という、今までの棺の流通形態を保持ができる上に、棺に新たな考え方を取り入れられる領域を広げられる発明である。
【図面の簡単な説明】
【図１】溝付きのモールを取りつけた棺及び差し込み用平板の斜視図
【図２】請求２の各部品の棺本体の側面部用１セット図
【図３】使用例１　棺本体の側面部への差し込み方法斜視図
【図４】使用例２　棺本体の側面部への嵌め込み方法斜視図
【図５】四隅用モール　拡大図
【符号の説明】
１　棺本体
２　棺　上蓋部分
３　棺　窓部分
４　差し込み用の平板
５　差し込み用の平板　上蓋用
６　溝付きＬモール
７　開口口用モール
８　モール用カバー
９　ストッパー上下左右用
１０　ストッパー左右用
１１　嵌め込み用平板
１２　四隅用モール
【図１】
2004097734.tif 000003
【図２】
2004097734.tif 000004
【図３】
2004097734.tif 000005
【図４】
2004097734.tif 000006
【図５】
2004097734.tif 000007